(57)【要約】【課題】乳頭部およびバストが膨らみ始める最初の２つの段階の両方にわたって着用者のバストにフィットさせることのできる上半身衣類を提供する。【解決手段】上半身衣類１は、少なくとも着用者ＷのバストＢを覆う前面部３を有する本体部２と、前面部３の裏面側に配置されてバストＢを覆い、伸縮性生地からなる胸当て部２０と、胸当て部２０の内部または胸当て部２０と前面部３との間に配置されて、着用者Ｗの左右の乳頭部Ａを覆うパッド１０と、を備える。パッド１０の前中心部１４が胸当て部２０または前面部３に結合されており、パッド１０の幅方向の両側部１６，１６が胸当て部２０の幅方向の両側部２６，２６に結合されておらず、胸当て部２０の幅方向の両側部２６，２６が伸縮自在になっている。【選択図】図１
2020180412.tif 000002
【特許請求の範囲】
【請求項１】
少なくとも着用者のバストを覆う前面部を有する本体部と、
前記前面部の裏面側に配置されて前記バストを覆い、伸縮性生地からなる胸当て部と、
前記胸当て部の内部または前記胸当て部と前記本体部との間に配置されて、前記着用者の左右の乳頭部を覆うパッドと、を備え、
前記パッドの前中心部が前記胸当て部または前記本体部に結合されており、前記パッドの幅方向の両側部が前記胸当て部の幅方向の両側部に結合されておらず、前記胸当て部の前記両側部が伸縮自在になっている、上半身衣類。
【請求項２】
前記パッドが設けられた領域は前記胸当て部が設けられた領域よりも小さい、請求項１に記載の上半身衣類。
【請求項３】
前記パッドは、上下方向の長さがもっとも長いバスト中央部と、前記バスト中央部の幅方向の外側に位置する前記両側部とを有し、
前記パッドは、前記前中心部と前記バスト中央部の上端部または下端部との間の少なくとも一部において、前記胸当て部または前記本体部に結合されている、請求項１または２に記載の上半身衣類。
【請求項４】
前記パッドは、左右の前記乳頭部を覆う一対のパッド本体部と、前記一対のパッド本体部を連結すると共に前記前中心部を含む連結部とが一体化された構造を有する、請求項１〜３のいずれか一項に記載の上半身衣類。
【請求項５】
前記胸当て部は、前記パッドを内部に収容可能な袋状をなし、前記胸当て部のうち前記前面部に近い方の生地に前記パッドが結合されている、請求項１〜４のいずれか一項に記載の上半身衣類。
【発明の詳細な説明】
【技術分野】
【０００１】
本発明は、上半身衣類に関する。
【背景技術】
【０００２】
特許文献１に記載されたインナーウェアは、身頃部の前面部と内布との間に配置されて左右の乳頭部を覆うパットを備えている。パットは、幅方向に長く延びる帯状のシート材からなる。パットは、両乳頭部に当たる位置において上下方向の長さが大きくなっており、幅方向の中央部において、上下方向の長さが小さくなっている。パットは、身頃部の前面部および内布と、両脇下部において接合されている。
【先行技術文献】
【特許文献】
【０００３】
【特許文献１】特開２０１６−５３２２２号公報
【発明の概要】
【発明が解決しようとする課題】
【０００４】
成長時における女性の体形変化は、たとえば、図６に示されるように、複数の段階（ステップ）で表すことができる。図６には、乳頭部が膨らんでいない段階（ステップＳ０で表される）と、乳頭部が膨らみ始めると共にバストが立体的に膨らむ３つの段階と、バストが丸い形状になって成長が落ち着く段階（ステップＳ４で表される）とが示されている。この中で、中央に示される３つの段階は、ジュニアステップ１，２，３等とも呼ばれ、約４年の期間を経て順に推移する。この約４年の期間は、初経を迎える時期を含み得る。ジュニアステップ１（Ｓ１）は、たとえば初経の１年以上前である。ジュニアステップ１（Ｓ１）では、乳頭部が膨らみ始める。続くジュニアステップ２（Ｓ２）では、その膨らみが横方向に広がる。一般的に、ジュニアステップ１（Ｓ１）とジュニアステップ２（Ｓ２）との間頃に初経の時期が存在すると言われる。更に続くジュニアステップ３（Ｓ３）では、バストが立体的に丸く膨らむ。
【０００５】
キャミソールやタンクトップ等の従来の上半身衣類では、これらのジュニアステップ１（Ｓ１）およびジュニアステップ２（Ｓ２）において、異なる設計が採用されていた。すなわち、ジュニアステップ１（Ｓ１）およびジュニアステップ２（Ｓ２）では、バストの形状が異なる。ジュニアステップ１（Ｓ１）では、乳頭部付近のみの膨らみを保護するため、バスト部分に厚みを持たせた平面的な胸当てが設けられる。ジュニアステップ２（Ｓ２）では、乳頭部とその周辺の膨らみ（横方向の膨らみ等）を保護するため、バスト部分をやや立体的な形状とした胸当てが設けられる。このように、各ステップにおけるバストに合わせた設計がなされる。その結果、ジュニアステップ１（Ｓ１）のバストを持った着用者には、ジュニアステップ２（Ｓ２）用の上半身衣類はフィットしない傾向にある。これとは反対に、ジュニアステップ２（Ｓ２）のバストを持った着用者には、ジュニアステップ１（Ｓ１）用の上半身衣類はフィットしない傾向にある。
【０００６】
一方で、ジュニアステップ１（Ｓ１）からジュニアステップ２（Ｓ２）へと移行する期間は短い。これらの両方の段階（ステップＳ１２として仮想線で表される）およびその間の移行期におけるバスト形状に対応できる上半身衣類が望まれている。そこで本発明は、乳頭部およびバストが膨らみ始める最初の２つの段階の両方にわたって着用者のバストにフィットさせることのできる上半身衣類を提供することを目的とする。
【課題を解決するための手段】
【０００７】
本発明の一態様に係る上半身衣類は、少なくとも着用者のバストを覆う前面部を有する本体部と、前面部の裏面側に配置されてバストを覆い、伸縮性生地からなる胸当て部と、胸当て部の内部または胸当て部と本体部との間に配置されて、着用者の左右の乳頭部を覆うパッドと、を備え、パッドの前中心部が胸当て部または本体部に結合されており、パッドの幅方向の両側部が胸当て部の幅方向の両側部に結合されておらず、胸当て部の両側部が伸縮自在になっている。
【０００８】
この上半身衣類は、着用者の左右の乳頭部を覆うパッドを備えるので、乳頭部が膨らみ始める第１段階にある着用者に適している。乳頭部を保護するパッドによれば、乳頭部の擦れを低減でき、また、衣類の表への乳頭部の透けが防がれる。パッドの前中心部が胸当て部または本体部に結合されているが、パッドの幅方向の両側部は、胸当て部の幅方向の両側部に結合されていない。そして、着用者がこの上半身衣類を着用すると、それに応じて、胸当て部の両側部が伸縮自在になっている。よって、乳頭部の周辺（すなわちバスト）が膨らみ始めた第２段階にある着用者に対しても、胸当て部の伸縮性が損なわれることなく、胸当て部がバストにフィットする。すなわち、成長においてもっとも大きい変化である、バストの横方向の変化に合わせて、胸当て部が伸長する。それと同時に、パッドは、乳頭部を覆い続ける。乳頭部およびバストが膨らみ始める最初の２つの段階は短い期間であるが、この上半身衣類は、これらの段階の両方にわたって着用者のバストにフィットさせることができる。言い換えれば、成長に伴って、適切な伸縮性を発揮することができる。
【０００９】
パッドが設けられた領域は胸当て部が設けられた領域よりも小さくてもよい。胸当て部は、成長期に膨らみつつあるバストを覆ってバストにフィットするため、バストに対応する十分な大きさを有することが好ましい。一方で、乳頭部を覆うためのパッドが設けられる領域が小さいことで、特に胸当て部の周縁部のフィット性を阻害しない。
【００１０】
パッドは、上下方向の長さがもっとも長いバスト中央部と、バスト中央部の幅方向の外側に位置する両側部とを有し、パッドは、前中心部とバスト中央部の上端部または下端部との間の少なくとも一部において、胸当て部または本体部に結合されていてもよい。この場合、前中心部のみならず、バスト中央部の上端部または下端部付近にも、結合部が形成される。したがって、着用時その他における構造安定性に優れる。たとえば、洗濯時におけるパッドの位置の乱れ等が抑制される。
【００１１】
パッドは、左右の乳頭部を覆う一対のパッド本体部と、一対のパッド本体部を連結すると共に前中心部を含む連結部とが一体化された構造を有してもよい。この場合、左右のパッド本体部が連結部を介して一体化されているので、左右のパッド本体部の位置ずれ等が生じにくい。左右のパッド本体部が、左右の乳頭部をそれぞれ確実に覆う。
【００１２】
胸当て部は、パッドを内部に収容可能な袋状をなし、胸当て部のうち前面部に近い方の生地にパッドが結合されていてもよい。この場合、胸当て部のうち着用者に近い方の生地（肌側生地）がパッドに結合されておらず遊離している（浮いている）ので、結合部が肌に接触することもなく、着心地に優れる。また、胸当て部にパッドが結合されていると、結合部が本体部の表面に表れることがないので、外観（美観性）に優れる。
【発明の効果】
【００１３】
本発明によれば、乳頭部およびバストが膨らみ始める最初の２つの段階の両方にわたって着用者のバストにフィットさせることができる。
【図面の簡単な説明】
【００１４】
【図１】本開示の第１実施形態に係る上半身衣類を示す正面図である。
【図２】図１に示した上半身衣類を裏返して示す正面図である。
【図３】図１のIII−III線に沿った断面図である。
【図４】前面部と胸当て部の間から胸当て部の正面を見て示す図である。
【図５】第２段階の着用者が上半身衣類を着用した場合における、胸当て部の伸長状態を示す図である。
【図６】成長期におけるバストの変化（複数の段階）を説明するための図である。
【図７】第１変形例に係る上半身衣類を示す断面図である。
【図８】第２変形例に係る上半身衣類を示す図であり、前面部と胸当て部の間から胸当て部の正面を見て示す図である。
【発明を実施するための形態】
【００１５】
以下、本発明の実施形態について、図面を参照しながら説明する。なお、図面の説明において同一要素には同一符号を付し、重複する説明は省略する。
【００１６】
図１〜図４を参照して、第1実施形態に係る上半身衣類１について説明する。上半身衣類１は、成長期の女性の体形変化に適合するように構成された衣類である。上半身衣類１は、たとえばキャミソールである。
【００１７】
図１に示されるように、上半身衣類１は、たとえば伸縮性の生地からなる本体部２を備える。全体として筒状に形成される本体部２は、着用者によって着用されることで、上半身の周方向に伸長し得る。周方向とは、着用者の胴囲に沿う方向であり、上半身衣類１を正面から見た場合（図１参照）における左右方向である。この左右方向は、本体部２の幅方向である。本明細書において、上半身衣類を構成する各部材について「幅方向」および「左右方向」との用語は、上述したのと同じ意味で用いられる。本体部２は、着用者によって着用されることで、上下方向（すなわち着用者の身長方向）に伸長してもよい。本体部２は、たとえば、編物からなる。本体部２は、たとえばフライス編地等であってよく、天竺編地もしくはスムース編地などの緯編地、又は、ラッセル編地もしくはトリコット編地などの経編地等であってよい。本体部２は、綿とポリエステル等の化学繊維とから形成されてもよいし、綿のみから形成されてもよいし、化学繊維のみから形成されてもよい。本体部２の左右方向の伸縮性は、本体部２の上下方向の伸縮性より大きくてもよい。なお、着用者の体格に比して本体部２のサイズにゆとりがあることで、本体部２が、着用者によって着用された場合にほとんど伸長しなくてもよい。
【００１８】
本体部２は、着用者の胸部および腹部を覆う前面部３と、着用者の背部および腰部を覆う背面部４とを有する。前面部３の左右の上隅部３ｂと、背面部４の左右の上隅部４ｂとが、左右一対のストラップ６，６によって連結されている。これらのストラップ６は、たとえば長さ調整機能を備える。前面部３および背面部４は、それぞれ別体の布が左右の両側端で互いに縫着（結合）されていてもよい。前面部３および背面部４が縫着以外の手段（たとえば接着等）により結合されていてもよい。前面部３および背面部４が、筒状に編まれた一体の生地であってもよい。本体部２の構造は、従来の上半身衣類に適用されたあらゆる公知の構造と同じであってよい。上半身衣類１を平置きした場合に、背面部４の上縁４ａは前面部３の上縁３ａよりも上下方向において上方に位置してもよいが、この位置関係に限られない。
【００１９】
本体部２の前面部３は、少なくとも着用者ＷのバストＢ（図６参照）を覆う。前面部３は、着用者の胸部を覆う上部３Ａと、着用者の腹部を覆う下部３Ｂとを有する。前面部３の上部３Ａは、上縁３ａと、上隅部３ｂを介して上縁３ａの左右の両端に接続された左右の上側縁３ｃ，３ｃと、左右の上側縁３ｃ，３ｃの下端に接続された左右の下側縁３ｄ，３ｄとを含む。これらの上縁３ａと、ストラップ６，６に連続してアームホール（又は脇刳り部）を形成する上側縁３ｃ，３ｃと、着用者の脇部を覆う下側縁３ｄ，３ｄとに囲まれた領域３Ｒが、着用者ＷのバストＢを覆う。前面部３の下部３Ｂの下縁３ｅは、背面部４の下縁とともに筒状をなしており、着用者Ｗの上半身の挿入を許容すべく開放されている。
【００２０】
図２および図３を参照して、前面部３の裏面側に設けられる構成について説明する。図２は、上半身衣類１を裏返して示す正面図である。図３は、図１のIII−III線に沿った断面図である。図２および図３に示されるように、上半身衣類１は、前面部３の上部３Ａの裏面側に配置されて、着用者ＷのバストＢを覆う胸当て部２０を備える。図３に示されるように、胸当て部２０は、外面生地２１と内面生地２２とを含み、これらの外面生地２１および内面生地２２によって袋状をなしている。外面生地２１は、胸当て部２０のうち前面部３に近い方の生地であり、いわば外側生地である。内面生地２２は、胸当て部２０のうち着用者Ｗに近い方の生地であり、いわば肌側生地である。内面生地２２は、上半身衣類１が着用者Ｗによって着用されたとき、着用者ＷのバストＢおよび乳頭部Ａに直接接触する。外面生地２１と内面生地２２とは、間隙をもって対面している。
【００２１】
外面生地２１および内面生地２２は、たとえば上述した上部３Ａの領域３Ｒに対応する形状および大きさを有している。外面生地２１および内面生地２２が重ね合わされた状態で、下縁２０ｅの部分を除く各辺部が、前面部３に縫着（結合）されている。すなわち、胸当て部２０は、上述した領域３Ｒ（すなわち上部３Ａ）に対応する形状および大きさを有している。胸当て部２０は、上縁２０ａと、上縁２０ａの左右の両端に接続された左右の上側縁２０ｃ，２０ｃと、左右の上側縁２０ｃ，２０ｃの下端に接続された左右の下側縁２０ｄ，２０ｄとを含む。胸当て部２０の上縁２０ａ、左右の上側縁２０ｃ，２０ｃ、および左右の下側縁２０ｄ，２０ｄが、前面部３の上縁３ａ、左右の上側縁３ｃ，３ｃ、および左右の下側縁３ｄ，３ｄにそれぞれ縫着されている。外面生地２１および内面生地２２は、たとえば連続する１枚の布からなり、下縁２０ｅの位置で折り返されている。この場合には、外面生地２１および内面生地２２は、下縁２０ｅの位置で縫着されない。なお、外面生地２１および内面生地２２が別体の布であり、下縁２０ｅの位置で互いに縫着（結合）されていてもよい。外面生地２１と内面生地２２とは、周縁部の全体にわたって結合されている。外面生地２１と内面生地２２との間には、周縁部以外に結合部はなく、それらの生地が離隔可能である。外面生地２１と内面生地２２との間には、内部空間が形成されている。この内部空間に、後述するパッド１０が配置される。すなわち、胸当て部２０は、パッド１０を内部に収容可能である。
【００２２】
胸当て部２０は、伸縮性生地からなる。外面生地２１および内面生地２２は、伸縮性生地からなる。外面生地２１および内面生地２２は、たとえばフライス編地等であってよく、天竺編地もしくはスムース編地などの緯編地、又は、ラッセル編地もしくはトリコット編地などの経編地等であってよい。外面生地２１および内面生地２２は、綿とポリウレタン等の化学繊維とから形成されてもよいし、綿のみから形成されてもよいし、化学繊維のみから形成されてもよい。外面生地２１および内面生地２２において、生地の左右方向の伸縮性は、生地の上下方向の伸縮性と同じであってもよい。生地の左右方向の伸縮性が、生地の上下方向の伸縮性より大きくてもよい。胸当て部２０は、着用者ＷのバストＢの成長に合わせて伸縮することができる。胸当て部２０の左右方向の伸縮性は、成長期にある着用者ＷのバストＢの成長に胸当て部２０を追随させ、胸当て部２０をバストＢにフィットさせる。上述したように、たとえば図６に示されるジュニアステップ２（Ｓ２）では、バストＢの膨らみが横方向に広がる。胸当て部２０は、左右方向における伸縮性を備えることにより、ジュニアステップ２（Ｓ２）におけるバストＢにフィットする。またジュニアステップ２（Ｓ２）では、バストＢの膨らみが縦方向にも広がる。胸当て部２０は、上下方向における伸縮性を備えることにより、ジュニアステップ２（Ｓ２）におけるバストＢにフィットする。
【００２３】
図４は、前面部３と胸当て部２０の間から胸当て部２０の正面を見て示す図である。図４に示されるように、外面生地２１は、主に着用者ＷのバストＢを覆う左右のバストカバー部２５，２５と、バストカバー部２５，２５の間に位置する前中心部２４と、バストカバー部２５，２５の幅方向の外側に位置する左右の側部２６，２６（両側部）とを含む。図２に示されるように、内面生地２２は、主に着用者ＷのバストＢを覆う左右のバストカバー部２８と、バストカバー部２８，２８の間に位置する前中心部２７と、バストカバー部２８，２８の幅方向の外側に位置する左右の側部２９，２９（両側部）とを含む。バストカバー部２８，２８は、着用者Ｗの左右のバストＢ，Ｂを直接覆う。バストカバー部２５，２５は、バストカバー部２８，２８を介して、着用者Ｗの左右のバストＢ，Ｂを覆う。
【００２４】
図２〜図４に示されるように、胸当て部２０の下縁２０ｅには、左右方向（幅方向）に延在する伸縮性テープ２３ａが内蔵されている。この伸縮性テープ２３ａが外面生地２１の下縁部に縫着されることで、下縁２０ｅにギャザー部２３が形成されている。ギャザー部２３は、左右の下側縁２０ｄ，２０ｄに達しており、これらの下側縁２０ｄ，２０ｄに縫着（結合）されている。胸当て部２０が下縁２０ｅにギャザー部２３を有することにより、下縁２０ｅにおけるフィット感が高められている。
【００２５】
図１〜図３に示されるように、上半身衣類１は、胸当て部２０の内部に配置されて、着用者Ｗの左右の乳頭部Ａ（図６参照）を覆うパッド１０を備える。パッド１０は、たとえば、所定の厚みを有する不織布であって、表裏を別生地でラミネートされた構造を有する。ここでいう厚みとは、上下方向および左右方向（幅方向）のいずれにも直交する方向（着用者Ｗを基準とする前後方向）の長さである。不織布は、たとえば、ポリエステル等の化学繊維からなる。パッド１０は、内部に不織布を有し、この不織布の表裏を覆う生地として、トリコット編地を有する。パッド１０の素材および構造はこれに限られず、不織布に代えて、ダブルラッセル編地やポリウレタンシートなどが用いられてもよい。乳頭部Ａを保護するために適した公知の素材および構造がパッド１０に採用されてもよい。たとえば、パッド１０は、全体として、伸縮性をほとんど有しないか又は伸縮性をまったく有しない。
【００２６】
パッド１０は、左右の乳頭部Ａに対応する位置に配置されて、胸当て部２０に結合されている（図５参照）。パッド１０は、部分的に、胸当て部２０に結合されている。パッド１０は、ジュニアステップ１（Ｓ１）の体形にフィットできるように、平面的な構造を有している。すなわち、パッド１０は、自然状態では立体的な形状をなしていない。一方で、パッド１０は、柔軟性を有しており、着用者ＷのバストＢの膨らみに応じて立体的な形状に変形し得る。
【００２７】
図１、図２および図４に示されるように、パッド１０は、左右の乳頭部Ａを覆う左右一対のパッド本体部１１，１１と、これらのパッド本体部１１，１１の間に配置されてパッド本体部１１，１１を連結する連結部１２とが一体化された構造を有する。連結部１２は、着用者Ｗの胸部の前中心に対応する前中心部１４を含む。各パッド本体部１１は、前中心部１４の幅方向の外側に位置するバスト中央部１５と、バスト中央部１５の幅方向の外側に位置する側部１６とを含む。バスト中央部１５の上下方向の長さは、パッド１０の上下方向の長さの中でもっとも大きくなっている。バスト中央部１５は着用者Ｗの乳頭部Ａを覆う。バスト中央部１５の上下方向の長さに比して、前中心部１４の上下方向の長さは小さい。すなわち、パッド１０は、前中心部１４においてくびれた形状を有する。パッド１０は、このような形状を有することにより、バストＢの横方向の広がりにも容易に追随する。
【００２８】
パッド１０は、前面部３の上部３Ａよりも小さい。パッド１０は、胸当て部２０よりも小さい。パッド１０は、前面部３の上部３Ａの周縁部（上縁３ａ、上側縁３ｃおよび下側縁３ｄ）、および、胸当て部２０の周縁部（上縁２０ａ、上側縁２０ｃ、上側縁２０ｃおよび下側縁２０ｄ）から離間しており、これらの周縁部よりも（正面から見て）内側に配置されている。パッド１０が設けられた領域は、胸当て部２０が設けられた領域よりも小さい。このように、パッド１０は、着用者Ｗの左右の乳頭部Ａを覆って乳頭部Ａを保護すること意図して、少なくとも左右の乳頭部Ａを覆うことができる領域に配置されている。一方で、成長期のバストＢにフィットさせるために設けられた伸縮性を有する胸当て部２０とは異なり、パッド１０は、バストＢ全体を覆うことを意図しておらず、胸当て部２０よりも小さい最小限の領域に設けられている。パッド１０は、左右方向の伸縮性を若干有してもよいが、左右方向の伸縮性を有していなくてもよい。バスト中央部１５の上下方向の長さが、たとえば、胸当て部２０の上下方向の長さの半分以下であってもよい。
【００２９】
図１〜図４に示されるように、パッド１０の前中心部１４が、胸当て部２０に結合されている。パッド１０の前中心部１４は、外面生地２１の前中心部２４に対して縫着されている。これにより、前中心部１４には前中心結合部３０（第１結合部）が形成されている。前中心結合部３０は、前中心部１４の上下方向の全域に対し、一直線状に形成されている。すなわち、前中心結合部３０は、前中心部１４を上下に横断している。なお、前中心結合部３０は、前中心部１４の上下方向の一部にのみ形成されてもよい。
【００３０】
一方で、パッド１０の幅方向の両側部１６，１６は、胸当て部２０の幅方向の両側部２６，２６に対して縫着されていない（結合されていない）。これにより、胸当て部２０の両側部２６，２６は、着用者Ｗによる上半身衣類１の着用に応じて、パッド１０に引っ張られることなく伸縮自在になっている。
【００３１】
上半身衣類１では、パッド１０のバスト中央部１５の上端部１５ａおよび下端部１５ｂが、胸当て部２０に結合されている。これらの上端部１５ａおよび下端部１５ｂは、外面生地２１のバストカバー部２５の上端部および下端部に対して縫着されている。これにより、上端部１５ａには上端結合部３１ａ（第２結合部）が形成され、下端部１５ｂには下端結合部３１ｂ（第２結合部）が形成されている。これらの上端結合部３１ａおよび下端結合部３１ｂは、左右方向に延びるように一直線状に形成され、所定の長さを有している。上端結合部３１ａおよび下端結合部３１ｂは、バスト中央部１５の上下方向の長さが小さくなり始める辺りで終端する。上端結合部３１ａは、バスト中央部１５の上縁が下降し始める辺りで終端する。下端結合部３１ｂは、バスト中央部１５の下縁が上昇し始める辺りで終端する。言い換えれば、上端結合部３１ａおよび下端結合部３１ｂは、乳頭部Ａを覆う位置よりも左右方向の外側に突出しないか、又は突出したとしても僅かな長さしか突出しない。
【００３２】
このように、パッド１０は、前中心部１４と、バスト中央部１５の上端部１５ａまたは下端部１５ｂとの間の少なくとも一部において、胸当て部２０の外面生地２１に結合されていてもよい。結合部の長さは、パッド１０の構造（位置）安定性を保つために最小限とされており、たとえば、前中心結合部３０の上下方向の長さより短い。
【００３３】
パッド１０は、前中心部１４（連結部１２）において一箇所のみ、各バスト中央部１５（パッド本体部１１）において上下に二箇所のみ、胸当て部２０の外面生地２１に結合されている。図３に示されるように、前中心結合部３０と上端結合部３１ａとの間、および、前中心結合部３０と下端結合部３１ｂとの間では、パッド１０は外面生地２１に結合されておらず、外面生地２１から遊離している。そしてパッド本体部１１の側部１６においては、パッド１０はどこにも結合されておらず遊離している。そのため、パッド１０は、伸縮性の胸当て部２０の横方向の伸縮を阻害しにくくなっている。なお、パッド１０の裏面側は、胸当て部２０の内面生地２２には結合されていないため、全域において遊離している。言い換えれば、内面生地２２は、どこにもパッド１０に結合されておらず、パッド１０に拘束されることなく伸縮自在になっている。
【００３４】
上半身衣類１の製造方法について説明すると、まず、前面部３となる生地、背面部４となる生地、および胸当て部２０となる生地（外面生地２１および内面生地２２）を用意する。パッド１０は、上述した所定の形状を有する平面状の部材である。外面生地２１に対してパッド１０を縫着する。この際、外面生地２１の前中心部２４に前中心部１４を合わせると共に、パッド１０の上下方向の位置を適切な位置（乳頭部Ａに対応する位置）に合わせる。その上で、パッド１０の前中心部１４と、左右の上端部１５ａおよび下端部１５ｂとを外面生地２１に縫着する。その後、外面生地２１の下縁２０ｅにギャザー部２３を形成して、外面生地２１に対して内面生地２２を折りたたみ、胸当て部２０の形状を作る。そして、胸当て部２０の上縁２０ａ、上側縁２０ｃおよび下側縁２０ｄと、前面部３の上縁３ａ、上側縁３ｃおよび下側縁３ｄとを位置合わせして縫着する。さらに、胸当て部２０が縫着された前面部３に対して、背面部４および一対のストラップ６，６を縫着する。
【００３５】
本実施形態の上半身衣類１は、着用者Ｗの左右の乳頭部Ａを覆うパッド１０を備えるので、乳頭部Ａが膨らみ始めるジュニアステップ１（Ｓ１）（図６参照）にある着用者Ｗに適している。乳頭部Ａを保護するパッド１０によれば、乳頭部Ａの擦れを低減でき、また、上半身衣類１の表への乳頭部Ａの透けが防がれる。パッド１０の前中心部１４が胸当て部２０に結合されているが、パッド１０の幅方向の両側部１６，１６は、胸当て部２０の幅方向の両側部２６，２６に結合されていない。着用者Ｗがこの上半身衣類１を着用すると、それに応じて、胸当て部２０の両側部２６，２６が伸縮自在になっている。よって、乳頭部Ａの周辺（すなわちバストＢ）が膨らみ始めたジュニアステップ２（Ｓ２）にある着用者Ｗに対しても、胸当て部２０の両側部２６，２６は、パッド１０に引っ張られず、突っ張らない。これにより、胸当て部２０の両側部２６，２６の伸縮性が損なわれることがなく、胸当て部２０全体でも伸縮性が損なわれにくくなっている。その結果、胸当て部２０がバストＢにフィットする。すなわち、成長においてもっとも大きい変化である、バストＢの横方向の変化に合わせて、胸当て部２０が伸長する。それと同時に、パッド１０は、乳頭部Ａを覆い続ける。乳頭部ＡおよびバストＢが膨らみ始める最初の２つの段階（図６に仮想線で示されるステップＳ１２）は短い期間であるが、この上半身衣類１は、これらの段階の両方にわたって着用者ＷのバストＢにフィットさせることができる。言い換えれば、成長に伴って、適切な伸縮性を発揮することができる。
【００３６】
本実施形態の上半身衣類の更なる効果としては、このような成長期の子（子は思春期であることが多い）を持つ親にとって、パッド付きキャミソール等の上半身衣類を購入するタイミングを計ることは難しい。上半身衣類１を早めに子に着用させることで、ジュニアステップ１（Ｓ１）の到来を逃すことがなく、成長に適した衣類の選択が可能である。また成長期の着用者本人にとっても、ジュニアステップ１（Ｓ１）は、初経よりも早く到来することがあるので、その到来に気づきにくく、パッド付きキャミソール等の上半身衣類を購入すべきタイミングを逃しやすい。上半身衣類１を早めに着用することで、ジュニアステップ１（Ｓ１）の到来を逃すことがなく、成長に適した衣類の選択が可能である。さらには、この上半身衣類をジュニアステップ１（Ｓ１）およびジュニアステップ２（Ｓ２）の両方にわたって着用できることは、短い期間内に上半身衣類を買い替える必要もなく、着用者にとって、経済的にも有利である。
【００３７】
パッド１０が設けられた領域は胸当て部２０が設けられた領域よりも小さい。胸当て部２０は、成長期に膨らみつつあるバストＢを覆ってバストＢにフィットするため、バストＢに対応する十分な大きさを有することが好ましい。一方で、乳頭部Ａを覆うためのパッド１０が設けられる領域が小さいことで、特に胸当て部２０の周縁部のフィット性を阻害しない。パッドは、多くの場合、胸当て部より剛性が高い。たとえば、剛性の高いパッドを胸当て部と同程度の大きさにした場合には、バストＢの上下や脇側などの膨らみがない部分に対して浮きが生じ、胸当て部がバストＢにフィットしにくくなる。本実施形態の小さなパッド１０によれば、胸当て部２０がパッド１０と共にバストＢにフィットし得るので、胸当て部２０全体のフィット性に優れている。
【００３８】
パッド１０は、前中心部１４とバスト中央部１５の上端部１５ａまたは下端部１５ｂとの間の少なくとも一部において、胸当て部２０に結合されている。この場合、前中心部１４のみならず、バスト中央部１５の上端部１５ａまたは下端部１５ｂ付近にも、上端結合部３１ａまたは上端結合部３１ａが形成される。したがって、着用時その他における構造安定性に優れる。たとえば、洗濯時におけるパッド１０の位置の乱れ等が抑制される。一方で、上述した両側部２６，２６の伸縮性は損なわれることがない。
【００３９】
パッド１０は、一対のパッド本体部１１，１１と連結部１２とが一体化された構造を有する。左右のパッド本体部１１が連結部１２を介して一体化されているので、左右のパッド本体部１１の位置ずれ等が生じにくい。左右のパッド本体部１１が、左右の乳頭部Ａをそれぞれ確実に覆う。
【００４０】
胸当て部２０は、パッド１０を内部に収容可能な袋状をなし、胸当て部２０のうち前面部３に近い外面生地２１にパッド１０が結合されている。胸当て部２０のうち着用者Ｗに近い方の生地（肌側生地である内面生地２２）がパッド１０に結合されておらず遊離している（浮いている）ので、前中心結合部３０等が肌に接触することもなく、着心地に優れる。また、胸当て部２０にパッド１０が結合されていると、前中心結合部３０等が前面部３（本体部２）の表面に表れることがないので、外観（美観性）に優れる。
【００４１】
以上、本発明の実施形態について説明したが、本発明は上記実施形態に限られない。たとえば、図７に示されるように、袋状の胸当て部２０ではなく、前面部３の裏面側に取り付けられた１枚の胸当て部２０Ａを備える上半身衣類１Ａであってもよい。この場合、胸当て部２０Ａと前面部３との間に、パッド１０Ａを収容するための内部空間が形成される。パッド１０Ａは、第１実施形態のパッド１０と同様の構成を有する。胸当て部２０Ａは、上述した胸当て部２０の外面生地２１または内面生地２２と同様の構成を有する。パッド１０Ａは、前面部３に対して縫着（結合）されている。パッド１０Ａの結合部位は、たとえば第１実施形態と同じである。この上半身衣類１Ａによっても、上半身衣類１と同様の作用・効果が奏される。ただし、上半身衣類１Ａでは、前中心結合部３０等が縫着ラインである場合、そのラインが前面部３（本体部２）の表面に表れる。
【００４２】
また図８に示されるように、左右のパッド本体部１１Ｂが別体とされたパッド１０Ｂを備える上半身衣類であってもよい。この場合、連結部１２が設けられていない。各パッド１０Ｂの前中心部１４Ｂが胸当て部２０に（または図７に示される１枚の胸当て部２０の場合、前面部３に）縫着される。これにより、左右一対の前中心結合部３０Ｂが形成されている。このような上半身衣類によっても、上半身衣類１と同様の作用・効果が奏される。この上半身衣類では、上記の上半身衣類１，１Ａとは異なり、胸当て部２０の前中心部２４および前中心部２７も、左右方向に伸縮する。
【００４３】
また、上半身衣類は、キャミソール以外の衣類であってもよい。たとえば、上半身衣類は、前面部３および背面部４が肩部の領域まで延在しておりストラップ部を含んだタンクトップ等であってもよい。上半身衣類は、ブラジャーであってもよい。上半身衣類は、伸縮性の生地からなるハーフトップタイプのブラジャーであってもよい。その場合において、前面部３の下縁３ｅに、胸当て部２０の下縁２０ｅが縫着（接合）されていてもよい。上半身衣類は、長袖ニットシャツであってもよいし、半袖ニットシャツであってもよい。本発明がいずれの形態の上半身衣類に適用される場合でも、上記に開示された実施形態および変形例のそれぞれが有する種々の構造および構成が採用されてよい。
【００４４】
本体部は、伸縮性を有しない又は伸縮性をほとんど有しない生地からなってもよい。本体部は、織物からなってもよい。本発明では、少なくとも胸当て部が、伸縮性を有する。本体部が伸縮性を有しない又は伸縮性をほとんど有しない生地からなる場合でも、前面部３の上部３Ａのみが、左右方向および上下方向の伸縮性を備えてもよい。
【００４５】
パッド１０は、胸当て部２０のうち着用者Ｗに近い方の生地（肌側生地である内面生地２２）に結合されてもよい。すなわち、前中心結合部３０および前中心結合部３０Ｂが、内面生地２２の前中心部２７に形成されてもよい。前中心結合部３０および前中心結合部３０Ｂが、縫着による結合ではなく、接着、融着または溶着等による結合部位であってもよい。
【００４６】
上端結合部３１ａおよび下端結合部３１ｂのいずれか一方が省略されてもよい。前中心結合部３０，３０Ｂのみが形成され、バスト中央部１５には結合部が形成されなくてもよい。
【００４７】
パッド１０の周縁部の少なくとも一部が、胸当て部２０の周縁部の少なくとも一部に重なっていてもよい。パッド１０が設けられた領域が、胸当て部２０が設けられた領域と同じか又は略同じであってもよい。パッド１０が、左右方向および／または上下方向において、幾らかの伸縮性を有してもよい。ただし、胸当て部２０の伸縮性と比べた場合には、パッド１０の伸縮性は低くなっている。
【符号の説明】
【００４８】
１，１Ａ，１Ｂ…上半身衣類、２…本体部、３…前面部、３Ａ…上部、３Ｂ…下部、４…背面部、１０，１０Ａ，１０Ｂ…パッド、１１，１１Ｂ…パッド本体部、１２…連結部、１４，１４Ｂ…前中心部、１５…バスト中央部、１５ａ…上端部、１５ｂ…下端部、１６…側部（両側部）、２０…胸当て部、２１…外面生地、２２…内面生地、２３…ギャザー部、２４…前中心部、２５…バストカバー部、２６…側部（胸当て部の両側部）、２７…前中心部、２８…バストカバー部、２９…側部（胸当て部の両側部）、３０，３０Ｂ…前中心結合部、３１ａ…上端結合部、３１ｂ…下端結合部、Ａ…乳頭部、Ｂ…バスト、Ｓ１…ジュニアステップ１、Ｓ２…ジュニアステップ２、Ｓ３…ジュニアステップ３、Ｗ…着用者。
【図１】
2020180412.tif 000003
【図２】
2020180412.tif 000004
【図３】
2020180412.tif 000005
【図４】
2020180412.tif 000006
【図５】
2020180412.tif 000007
【図６】
2020180412.tif 000008
【図７】
2020180412.tif 000009
【図８】
2020180412.tif 000010